(57)【要約】【課題】携帯に便利で、眼鏡の置き忘れを防止し、さらに、需要に応じてエレガントな装飾具とすることができる優れた眼鏡の保持具を提供する。【解決手段】使用者の頸部周囲またはその衣服に着脱可能な固定手段を有し、かつ、眼鏡のテンプルエンドが通過可能な内径の眼鏡保持リング部を有する保持具主部と、一端が該保持具主部に接続され、他の一端が眼鏡のテンプルに着脱可能に固定可能である紐状体とを有する眼鏡の保持具。【選択図】図３
0003104855.tif 000002
【実用新案登録請求の範囲】
【請求項１】
使用者の頸部周囲またはその衣服に着脱可能な固定手段を有し、かつ、眼鏡のテンプルエンドが通過可能な内径の眼鏡保持リング部を有する保持具主部と、一端が該保持具主部に接続され、他の一端が眼鏡のテンプルに着脱可能に固定可能である紐状体とを有することを特徴とする眼鏡の保持具。
【請求項２】
上記紐状体が保持具主部から着脱可能なことを特徴とする請求項１に記載の眼鏡の保持具。
【請求項３】
上記保持具主部が、ブローチ、コサージュ、ネックレス、飾りピン、襟飾り、ネクタイピン、ネクタイ、タイハンガー、あるいは、ペンダントのいずれかであることを特徴とする請求項１または２に記載の眼鏡の保持具。
【請求項４】
上記保持具主部がブローチであって、上記固定手段として安全ピンを有することを特徴とする請求項３に記載の眼鏡の保持具。
【請求項５】
上記保持具主部がペンダントであって、上記固定手段がそのネックレス部であり、かつ、紐状体が保持具主部から着脱可能に接続するためのナス環あるいは引き輪を有し、該ネックレス部が該ナス環あるいは引き輪により紐状体と着脱自在に接続するための紐状体固定用リングを複数個有していることを特徴とする請求項３に記載の眼鏡の保持具。
【請求項６】
上記保持具主部に固定手段としてクリップが設けられ、眼鏡のテンプルエンドが通過可能な内径の眼鏡保持リング部を有する保持具主部が鎖から形成され、かつ、該鎖が延長されて上記紐状体が形成されていることを特徴とする請求項１ないし請求項３のいずれかに記載の眼鏡の保持具。
【考案の詳細な説明】
【技術分野】
【０００１】
本考案は、置き忘れや不用意に落としたときに破損等を防止するとともに、使いやすい位置に、かつ、エレガントに眼鏡を携帯するための眼鏡の保持具に関する。
【背景技術】
【０００２】
軽度な遠視用眼鏡、あるいは中高年となって使用される眼鏡である、いわゆる”老眼鏡”は、通常は不要であり、書類、新聞等の、近距離のものを見るときにのみ必要となる。従って、置き忘れ、紛失する場合がある。
【０００３】
このような眼鏡を携帯するには、眼鏡レンズは割れ易く、かつ、傷つき易いため、衣服のポケットなどに入れておくわけにいかず、使用時には、バック内や眼鏡ケース内から取り出さなければならず、その都度、これらから取り出す等の煩わしさがあった。
【０００４】
ここで、実開昭５３−２５９３４０号公報では、「眼鏡をはずしたときに衣服につるす眼鏡の保持具」が提案されている。このものは使用者の衣服の胸元など、使用者が日常生活で立ち働き、あるいは、歩いたりしているときに、他の人やその荷物、建築物やその一部、家具などに通常ではぶつかることのない部位に、その安全ピンによって固定すればその「眼鏡のつるを差しこむ環」により眼鏡を下げることができ、そのとき眼鏡及びそのレンズが壊れたり、傷ついたりしないと云う良いアイディアであった。
【０００５】
しかし、この実開昭５３−２５９３４０号公報でも、眼鏡の置き忘れ、紛失、あるいは不用意な落下による破損を防止することはできなかった。
【特許文献１】実開昭５３−２５９３４０号公報
【考案の開示】
【考案が解決しようとする課題】
【０００６】
本考案は、上記した従来の問題点を改善する、すなわち、携帯に便利で、眼鏡の置き忘れを防止し、さらに、需要に応じてエレガントな装飾具とすることができる優れた眼鏡の保持具を提供することを目的とする。
【課題を解決するための手段】
【０００７】
本考案の眼鏡の保持具は上記課題を解決するため、請求項１に記載の通り、使用者の頸部周囲またはその衣服に着脱可能な固定手段を有し、かつ、眼鏡のテンプルエンドが通過可能な内径の眼鏡保持リング部を有する保持具主部と、一端が該保持具主部に接続され、他の一端が眼鏡のテンプルに着脱可能に固定可能である紐状体とを有することを特徴とする眼鏡の保持具である。
【０００８】
また、本考案の眼鏡の保持具は、請求項２に記載の通り、上記紐状体が保持具主部から着脱可能なことを特徴とする請求項１に記載の眼鏡の保持具である。
【０００９】
さらに本考案の眼鏡の保持具は、請求項３に記載の通り、上記保持具主部が、ブローチ、コサージュ、ネックレス、飾りピン、襟飾り、ネクタイピン、ネクタイ、タイハンガー、あるいは、ペンダントのいずれかであることを特徴とする請求項１または２に記載の眼鏡の保持具である。
【００１０】
また、本考案の眼鏡の保持具は、請求項４に記載の通り、上記保持具主部がブローチであって、上記固定手段として安全ピンを有することを特徴とする請求項３に記載の眼鏡の保持具である。
【００１１】
また、本考案の眼鏡の保持具は、請求項５に記載の通り、上記保持具主部がペンダントであって、上記固定手段がそのネックレス部であり、かつ、紐状体が保持具主部から着脱可能に接続するためのナス環あるいは引き輪を有し、該ネックレス部が該ナス環あるいは引き輪により紐状体と着脱自在に接続するための紐状体固定用リングを複数個有していることを特徴とする請求項３に記載の眼鏡の保持具である。
【００１２】
また、本考案の眼鏡の保持具は、請求項６に記載の通り、上記保持具主部に固定手段としてクリップが設けられ、眼鏡のテンプルエンドが通過可能な内径の眼鏡保持リング部を有する保持具主部が鎖から形成され、かつ、該鎖が延長されて上記紐状体が形成されていることを特徴とする請求項１ないし請求項３のいずれかに記載の眼鏡の保持具である。
【考案の効果】
【００１３】
本考案の眼鏡の保持具によれば、使用者の衣服の胸元や襟元など、上半身胸側、すなわち、使用者が日常生活で立ち働き、あるいは、歩いたりしているときに、他の人やその荷物、建築物やその一部、家具などに通常ではぶつかることのない部位に、その固定手段によって固定すればその「眼鏡のつるを差しこむ環」により眼鏡を下げることができ、そのとき眼鏡及びそのレンズが壊れたり、傷ついたりせず、さらに、紐状部を利用することによって、眼鏡の置き忘れも防止される共に、紐状体のデザイン、材質、色を保持具主部とコーディネイトすることにより優れたファッションアクセサリーとすることが可能であり、さらに保持具主部と紐状部とを眼鏡フレーム自体とともトータルにデザインすることも可能となる。さらに紐状体の長さを適切なものとすることにより、予期せぬ眼鏡の落下による破損等を防止することもできる。
【考案を実施するための最良の形態】
【００１４】
本考案の眼鏡の保持具の保持具主部は、例えば貴金属や金属（めっき品、非めっき品のどちらでも良い）、ガラス（有色、無色）、木材、プラスチック、貴石・宝石、貝殻、天然石・人造石、布、羽、モール等から、構成することができ、また、それら同士を組み合わせてもよい。
【００１５】
眼鏡の保持具の保持具主部はネックレス類（チョーカー、ソートワール（長い首飾り）、マチネ、ラリアト・ネックレス等のネックレス類）、ブローチ、飾りピン、襟飾り、ネクタイピン、ネクタイ、タイハンガー、あるいは、ペンダントまたはペンダントヘッド、のいずれであっても良く、その他、缶バッチ等のバッチ類であっても良い。
【００１６】
保持具主部は使用者の頸部周囲または衣服に着脱可能な固定手段を有することが必要である。使用者の頸部（頸部周囲）に着脱可能な固定手段としてはネックレス類が挙げられ、また、使用者の衣服に着脱可能な固定手段としては安全ピン型係止具、ないし、ブローチピン型係止具（本考案において、安全ピン、ブローチピンの両者を併せて安全ピンと云う）、ピンチ式係止具、あるいは、筆記具式のクリップ係止具、洗濯ばさみ式のクリップ係止具、鰐口式クリップ等（クリップの挟み込み部に互いに噛みあう凹凸が形成されているもの）、またはタイタックなどで一般的なボタンを利用した係止具等の一般的な固定手段が挙げられ、これらから適宜選択できるが、固定が容易で、かつ、確実な安全ピン式の固定手段か、固定が容易で、眼鏡の不意の落下にも耐えられる強さで衣服に固定できるので鰐口式クリップであることが望ましい。
【００１７】
ここで、例えば、使用者の衣服がブラウス等の薄手の生地からなる場合、本考案の眼鏡の保持具をその衣服に固定した場合、眼鏡の重さにより、引っ張られて痛んだり、あるいはしわが寄る場合があるが、ネックレス類を固定手段として用いた場合にはこのような問題は解消する。なお、保持具主部がネックレス類の場合にはそれ自身が使用者の頸部周囲に着脱可能な固定手段として機能し、その場合も本考案に含まれる。
【００１８】
また、保持具主部がペンダントのときには、そのネックレス部分が使用者の頸部周囲に着脱可能な固定手段であり、例えばペンダントヘッドに眼鏡保持リング部を設けられていても良く、また、ペンダントヘッドとは別に、例えばネックレス部分に眼鏡保持リング部を設けても良い。また、一端が該保持具主部に接続され、他の一端が眼鏡のテンプルに着脱可能に固定可能である紐状体がペンダントヘッドに接続されていても良く、あるいは、ネックレス部分に接続されていても良い。
【００１９】
ここで、保持具主部には眼鏡のテンプルエンドが通過可能な内径の眼鏡保持リング部が設けられている。ここでテンプルエンドとは、眼鏡のテンプル（つる）の着用時耳側端を云い、モダンやしのみ部を有するテンプルの場合などのモダン、しのみ部の端を含む。眼鏡保持リング部の内径は一般的なテンプルエンドが通過できれば良く、５ｍｍ以上２５ｍｍ以下で、好ましくは１０ｍｍ以上２０ｍｍ以下とする。なお、眼鏡保持リング部は、可撓性を有しない材質から構成しても良いが、可撓性を有する素材（ゴム、繊維からなる紐、金属ワイヤ・鎖等）からなっていても良いが、後者の場合には、眼鏡保持リング部がリング状の形状を常に維持されるようになっていることが、眼鏡のテンプルエンドが通過させるときに容易となるために好ましい。また、眼鏡保持リングはデザイン的には保持具主部との違和感のない、かつ、可能であれば眼鏡を保持していないときであっても、保持具主部と共にあって全体がアクセサリーとして機能するデザインであることが望ましい。
【００２０】
本考案において、一端が該保持具主部に接続され、他の一端が眼鏡のテンプルに接続可能である紐状体を有することが必要であり、この紐状体がないと、眼鏡の置き忘れ防止や、不用意な落下による破損等の防止効果が得られない。
【００２１】
紐状体はその一端が上記保持具主部に接続されている必要がある。しかし、紐状体が保持具主部から着脱可能であれば、例えば２種類以上の紐状体を準備して組合せを変更するなど、おしゃれ効果を向上させることができる。
【００２２】
また、紐状体の他の一端は眼鏡のテンプルに着脱可能に固定可能であればよい。一般的には、眼鏡の落下防止器具に用いられている方法、すなわち、ゴムなどのエラストマー性を有する素材からＯリングを紐状体の他の一端に接続し、このＯリングにテンプルエンドを通した後、金属、繊維等からなる他の環状、あるいは８字状部材によりこのＯリングを締め付けて固定する方法があるが、その他、ナス環（かに環）、クリップなどを用いても良い。
【００２３】
紐状体の素材としては、眼鏡落下防止と云う見地から、比較的強度の強く、また、耐久性があるものが望ましく、皮革や天然あるいは化学・合成繊維あるいは合成樹脂からなる紐、金属鎖、金属ワイヤー、テグス糸、リボン、モールなどから形成することができ、また金属ワイヤーやテグス糸を利用したビーズ紐としても良い。ビーズ紐の場合は、金属（貴金属、めっき）、ガラス（有色・無色）、プラスチック、天然石・模造石、貝殻、宝石・貴石等の通常入手できるビーズを有することができる。この紐状体も保持具主部と共に、アクセサリーとしても機能するため、上記保持具主部と共にトータルでデザインすることが望ましい。紐状体２はその有効長さを調整できるようなものであると、使用者の好みで調整が可能となり、また使用者の視野端での紐状体２の揺れによる不快感発生防止が可能となるなど、より好ましい。
【００２４】
以下に、本考案の眼鏡の保持具の一例Ａについて、図面を用いて説明する。図１に眼鏡の保持具Ａの金属製の鎖からなる紐状体２の他の一端２ａを眼鏡３のテンプルの一方３ａに着脱可能に固定した状態を示す。眼鏡の保持具Ａの保持具主部１は金属製の台に貴石を配置したブローチとなっており、図１ではその表側が示されている。
【００２５】
図１中符号１ａを付して示されているのは眼鏡のテンプルエンドが通過可能な内径の眼鏡保持リング部である。この眼鏡保持リング部１ａは保持具主部１を使用者が衣服に着脱可能な固定手段によってその衣服に固定したときに保持具主部１の下方に位置することが可能なように設けられている。この図に示されたように眼鏡３は紐状部２によって保持具主部１に接続されているため、置き忘れによる紛失が防止される。
【００２６】
また、図２には本考案に係る眼鏡の保持具Ａの保持具主部１の裏面側を示す。図２から理解できるように保持具主部１は衣服に着脱可能な固定手段として、安全ピン１ｂを有している。また、保持具主部は紐状体２の一端２ｂに設けられたナス環が着脱可能に係止（固定）可能となるような小リング部１ｃを有している。なお、ナス環の代わりに、かに環、引き輪、ダルマ環を用いても良い。
【００２７】
紐状体２の他の一端２ａでは、ゴムからなるＯリング２ａ２が金属製の鎖からなる紐状体２と金属製のリング２ａ１により接続され、Ｏリング２ａ２は金属製の小環２ａ３によって８字形状となるようにそのほぼ中央部でくくられている。なお、小環２ａ３はＯリング２ａ２に対して図中左右にスライド可能であり、輪状部２ａ４の大きさを変更することが可能で、この輪状部２ａ４を眼鏡の３のテンプル３ａのテンプルエンド３ａ１を通過させた後、小環２ａ３を図中左側にスライドすることにより、テンプルエンド３ａ１が輪状部２ａ４から抜けないように固定することができる（ただし、小環２ａ３のスライド状態によって、輪状部２ａ４はテンプル３ａをほぼ完全に固定する、あるいは、テンプル３ａの長さ方向に摺動可能な状態で固定する、の２つの状態を選ぶことができる）。
【００２８】
図３は眼鏡３のテンプル３ａのテンプルエンド３ａ１を通過させて、保持具主部１の眼鏡保持リング部１ａに架けた使用状態を示す図である。このような状態で使用すれば、眼鏡３の両方のテンプルが折りたたまれているため、使用者の、歩く、腰をかける等の通常行動では眼鏡３は落下することはないが、例えば、物を拾う、靴を履く等の行動を行った場合には眼鏡３のテンプル３ａが眼鏡保持リング部１ａから抜けて落下するおそれがあるが、その場合であっても、眼鏡３は紐状部２によって保持具主部１に接続しているので、床上、道路上などまでには達しないので落下による破損が予防される。なお、保持具主部１を使用者の胸元、あるいは利き腕とは逆の襟元に固定することにより、眼鏡の眼鏡保持リング部１ａの架け外しが容易となる。
【００２９】
図４には本考案をペンダントに応用した例Ｂを示す。すなわち、保持具主部がペンダントであって、固定手段がそのネックレス部であり、かつ、紐状体が保持具主部から着脱可能に接続するためのナス環を有し、該ネックレス部がナス環により紐状体と着脱自在に接続するための紐状体固定用リングを複数個有している眼鏡の保持具である。
【００３０】
この例Ｂでは、ネックレス部４は使用者の頸部周囲に着脱可能な固定手段として機能し、このネックレス部４につり下がるペンダントヘッド５を有し、ペンダントヘッド５には眼鏡のテンプルエンドが通過可能な内径の眼鏡保持リング部５ａが設けられている。ネックレス部４にはさらに、一端に設けられたナス環６ａが保持具主部に接続され、他の一端６ｂが眼鏡のテンプルに着脱可能に固定可能である紐状体６とがネックレス部４の紐状体固定用リング４ａを利用して着脱可能に接続されている。
【００３１】
この例Ｂではネックレス部４には複数個の紐状体固定用リング４ａが設けられており、使用者の好みによって、好ましい位置の紐状体固定用リング４ａを選択して紐状体６の一方の端に設けられたナス環６ａを固定することができる。
【００３２】
また、図５には本考案をネクタイピンに応用した別の例Ｃを示す。すなわち、保持具主部に固定手段としてクリップが設けられ、眼鏡のテンプルエンドが通過可能な内径の眼鏡保持リング部を有する保持具主部が鎖から形成され、かつ、該鎖が延長されて上記紐状体が形成されている例である。
【００３３】
この例Ｃでは使用者の衣服に着脱可能な固定手段として、そのネクタイピン部７にクリップが設けられている。さらに、この例Ｃでは一方の端８ａと中間８ｂとでネクタイピン部７に固定された鎖があるが、この鎖により、眼鏡のテンプルエンドが通過可能な内径の眼鏡保持リング部８と、さらに、一端８ｂが保持具主部に接続され、他の一端９ａが眼鏡のテンプルに着脱可能に固定可能である紐状体９とが形成されている。なお、この例はネクタイピンとして説明したが、使用者の衣服の胸元にブローチ的に用いたり、衿飾りとして用いたり、あるいは、胸ポケットを利用して胸飾りとしても用いることができ、その場合も本考案に含まれる。
【産業上の利用可能性】
【００３４】
本考案の眼鏡の保持具は携帯に便利で、眼鏡の置き忘れを防止し、さらに、例えば、必要に応じてエレガントな装飾具とすることができる優れた眼鏡の保持具として、例えば服飾アクセサリー類製造業界、及び、眼鏡関連業界等において利用することができる。
【図面の簡単な説明】
【００３５】
【図１】本考案に係る眼鏡の保持具Ａ（眼鏡３のテンプル３ａに紐状体２を固定した状態）を示す図である。
【図２】本考案に係る眼鏡の保持具Ａ（保持具主部１の裏面側を示す）を示す図である。
【図３】本考案に係る眼鏡の保持具Ａの眼鏡保持リング部１ａに眼鏡３をそのテンプル３ａを利用して架けた使用状態を示す図である。
【図４】本考案をペンダントに応用した例Ｂを示す図である。
【図５】本考案をネクタイピンに応用した例Ｃを示す図である。
【符号の説明】
【００３６】
Ａ      本考案に係る眼鏡の保持具の例（ブローチ）
Ｂ      本考案に係る眼鏡の保持具の例（ペンダント）
Ｃ      本考案に係る眼鏡の保持具の例（ネクタイピン）
１      保持具主部
１ａ     眼鏡保持リング部
２      紐状体
２ａ    紐状体２の他の一端
２ａ１  リング
２ａ２  Ｏリング
２ａ３  小環
２ａ４  輪状部
２ｂ    紐状体２の一端（ナス環）
３      眼鏡
３ａ    テンプル
３ａ１  テンプルエンド
４      ネックレス部
４ａ    紐状体固定用リング
５      ペンダントヘッド
５ａ    眼鏡保持リング部
６      紐状体
６ａ    紐状体６の一端に設けられたナス環
６ｂ    紐状体６の他の一端
７      ネクタイピン部７
８      眼鏡保持リング部
８ａ    鎖の一方の端
８ｂ    鎖の中間点（紐状体９の一端）
９      紐状体
９ａ    紐状体９の他の一端９ａ
【図１】
0003104855.tif 000003
【図２】
0003104855.tif 000004
【図３】
0003104855.tif 000005
【図４】
0003104855.tif 000006
【図５】
0003104855.tif 000007